(57)【要約】【課題】簡単な構成で物理的に盗難されないようにしたハードディスク盗難防止機構を備えた電子装置を提供することを目的とする。【解決手段】ハードディスク盗難防止機構１３は、電子装置１０に着脱可能に設けられたハードディスク２と、電子装置内部に設けられ、ハードディスクの着脱は、平面上を一軸方向に移動させ、予め設定される位置で固定するガイド機構部と、ガイド機構部に装着され、平面状においてハードディスクを運転可能な正常位置、及び運転不可能なセキュリティ位置のいずれかの位置に設定するロック金具４とからなり、ロック金具によって物理的に着脱出来ないようにするとともに、当該ハードディスクに記憶された情報が電気的にも取り出しできない状態としたことを特徴とするハードディス盗難防止機構を備えた電子装置。【選択図】図１
2010134883.tif 000002
【特許請求の範囲】
【請求項１】
ハードディスクを備え、ケンジントンロックにより自装置の内部の開示、及び持ち運びを困難にしたハードディスク盗難防止機構を有する電子装置であって、
前記ハードディスク盗難防止機構は、前記電子装置に着脱可能に設けられた前記ハードディスクと、
前記電子装置内部に設けられ、前記ハードディスクの着脱は、平面上を一軸方向に移動させ、予め設定される位置で固定するガイド機構部と、
前記ガイド機構部に装着され、前記平面状において前記ハードディスクを運転可能な正常位置、及び運転不可能なセキュリティ位置のいずれかの位置に設定するロック金具と
からなり、
前記ハードディスクの入出力コネクタは、前記正常位置で運転可能に接続され、前記セキュリティ位置で運転不可能に切断されるようにし、
前記電子装置を使用しない場合、前記ハードディスを前記セキュリティ位置に固定して、前記ロック金具によって物理的に着脱出来ないようにするとともに、当該ハードディスクに記憶された情報が電気的にも取り出しできない状態としたことを特徴とするハードディス盗難防止機構を備えた電子装置。
【請求項２】
前記ハードディスクは、前記正常位置と前記セキュリティ位置とで前記ガイド機構部に固定する固定穴を設け、
前記ガイド機構部には、前記正常位置と前記セキュリティ位置とにおいて、前記ロック鍵を挿入して前記ハードディスクの位置決めをするガイド穴を設け、
前記ロック金具を前記ガイド穴と前記固定穴とに挿通して、前記正常位置または前記セキュリティ位置のいずれかの位置に予め設定するようにした請求項１に記載のハードディスク盗難防止機構を備えた電子装置。
【請求項３】
前記ロック金具の装着位置を前記電子装置のケース外から視認できるように、当該ケースに視認窓を備えたことを特徴とする請求項１に記載のハードディスク盗難防止機構を備えた電子装置。
【発明の詳細な説明】
【技術分野】
【０００１】
本発明は、ハードディスク盗難防止機構を備えた電子装置に関する。
【背景技術】
【０００２】
従来の電子装置２０の盗難防止機構を、図３を参照して説明する。図３（ａ）〜（ｃ）は、夫々、従来のハードディスク２を内蔵するデスクトップなどの電子装置１０の正面図、側面図、及び背面図である。
【０００３】
図３において、電子装置２０の正面には、筐体２１から着脱可能なハードディスク２を備え、その後面には、電源ケーブルコネクタ５、電源スイッチ６及びＵＳＢコネクタ端子７などの入出力コネクタ群を備えている。
【０００４】
このような電子装置２０は、ハードディスクロックキー１３でハードディスク２の取り外しを防止し、また、筐体２１にセキュリティスロット８を備えて、ケンジントンロックを構成するキーとセキュリィケーブルによって物理的に移動を困難にして盗難を防止するようにしている（例えば、非特許文献１参照。）。
【０００５】
しかしながら、上記の従来構成によれば、施錠後でも他人が電子装置２０を操作して、例えば悪意の第三者が勝手にハードディスク２のデータを見ることができたり、また、ＵＳＢメモリなどの外部記憶装置を使用して、ＵＳＢコネクタ７を介してハードディスク２のデータをＵＳＢメモリにコピーして持ち去ったりすることも可能であった。
【０００６】
そのため、電子装置２０のログオンを制限したり、データを暗号化したりすることも行なわれている（例えば、非特許文献１参照。）。
【０００７】
また、本体に対して開閉自在に設けられた表示部を備え、着脱自在にされた外部記憶手段を設けたノート型パソコンなどにおいては、ハードディスクを取り出し不可にし、かつ表示部を閉状態でロックして、本体とハードディスクの盗難を防止すると共に、第三者が勝手に電子機器を操作できなくした電子機器が開示されている（例えば、特許文献１参照。）
【特許文献１】特許第３５４２３７９号公報
【非特許文献１】IT  media  Inc.  、“ノートPCから情報漏えいを防ぐグッズ”、［online］、2004/08/27、［平成２０年１１月１９日検索］、インターネット＜URL：http://www.atmarkit.co.jp/fsys/kaisetsu/044notepc_sec/notepc_sec.html＞
【発明の開示】
【発明が解決しようとする課題】
【０００８】
しかしながら、非特許文献１に開示された暗号化による方法ハードディスクが盗難にあっても情報が漏洩する可能性が低いものの、解読される可能性があり完全ではない問題がある。
【０００９】
また、図３に示したようなデスクトップ型の電子装置においては、特許文献１のようにハードディスクの持ち出し防止する施錠を施しても、何らかの方法で電源が投入される可能性があるので、ハードディスクのデータをコピーされる恐れがある。
【００１０】
そこで、上述した、暗号化されたログオン制限や物理的に電源投入を制限する電源鍵を備えたることが考えられるが、いずれの場合も新たなソフトや、新たな鍵を備えることが必要となり装置が複雑になる問題がある。
【００１１】
本発明は上記問題点を解決するためになされたもので、着脱可能なハードディスクを備える電子装置において、ハードディスクのデータを新たな暗号化ソフトや特別の鍵を使用せずに、簡単な構成で物理的に盗難されないようにしたハードディスク盗難防止機構を備えた電子装置を提供することを目的とする。
【課題を解決するための手段】
【００１２】
上記目的を達成するために、本発明によるハードディスク盗難防止機構を備えた電子装置は、ハードディスクを備え、ケンジントンロックにより自装置の内部の開示、及び持ち運びを困難にしたハードディスク盗難防止機構を有する電子装置であって、前記ハードディスク盗難防止機構は、前記電子装置に着脱可能に設けられた前記ハードディスクと、前記電子装置内部に設けられ、前記ハードディスクの着脱は、平面上を一軸方向に移動させ、予め設定される位置で固定するガイド機構部と、前記ガイド機構部に装着され、前記平面状において前記ハードディスクを運転可能な正常位置、及び運転不可能なセキュリティ位置のいずれかの位置に設定するロック金具とからなり、前記ハードディスクの入出力コネクタは、前記正常位置で運転可能に接続され、前記セキュリティ位置で運転不可能に切断されるようにし、前記電子装置を使用しない場合、前記ハードディスを前記セキュリティ位置に固定して、前記ロック金具によって物理的に着脱出来ないようにするとともに、当該ハードディスクに記憶された情報が電気的にも取り出しできない状態としたことを特徴とする。
【発明の効果】
【００１３】
本発明によれば、着脱可能なハードディスクを備える電子装置において、ハードディスクのデータを新たな暗号化ソフトや特別の鍵を使用せずに、簡単な構成で物理的に盗難されないようにしたハードディスク盗難防止機構を備えた電子装置を提供することができる。
【発明を実施するための最良の形態】
【００１４】
以下、本発明の実施例について、図１及び図２を参照して説明する。図２（ａ）〜（ｃ）は、夫々、本発明のハードディスク盗難防止機構を備えた電子装置１０の正面図、側面図、及び背面図である。
【００１５】
図２において、電子装置１０は、ケンジントンロックにより自装置の内部の開示、及び持ち運びを困難にした構造を備え、図示しない演算装置等を収納した箱型の本体１と、その正面パネル部に着脱可能に設けられるハードディスク２と、本体１の内部に設けられ、図示しないハードディスク２の着脱を、本体１の前後方向に水平面上を一軸方向に移動させ、予め設定される位置で固定するガイド機構部３と、ハードディスク２の水平面上での固定位置を設定するロックキー４と、この電子装置１０の背面パネルに設けられた電源コネクタ５と、電源スイッチ６と、ＵＳＢコネクタ７などを備える入出力コネクタ部とから成る。
【００１６】
本体１の一方の測板１ａには、予め設定された位置にロック金具４の設定位置が確認できるような視認窓Ｃ１、Ｃ２が距離Ｌ２で離間して設けられ、ロック金具４が、いずれの位置に装着されているか目視できるようにしておく。
【００１７】
そして、本体１には、ケンジントンスロット（ロック装着用の穴）８を備え、図示しない鍵とセキュリティケーブルとで本体の開閉と移動とが容易に行えない構成としている。
【００１８】
ハードディスク２を収納する本体１の構造については、本発明の主題ではないので、その説明を省略する。
【００１９】
次に、図１を参照して、ハードディスク盗難防止機構の詳細構造を説明する。本発明のハードディスク盗難防止機構の主要構成は、電子装置１０に着脱可能に設けられ、外観が略直方体のハードディスク２と、電子装置２内部に設けられ、ハードディスク２の着脱は、平面上を矢印に示す一軸上を移動させ、予め設定される位置で固定するガイド機構部３と、ガイド機構部３に装着され、平面上においてハードディスク２を運転可能な正常位置、及び運転不可能なセキュリティ位置のいずれかの位置に設定するロック金具４とから成る。
【００２０】
図１（ａ）は、ハードディスク２が運転可能な正常位置に設定された状態でのハードディスク盗難防止機構の平面図で、図１（ｂ）はその正常位置で、図１（ａ）のｘ−ｘ’方向から見た側断面図である。
【００２１】
図１（ｃ）は、ハードディスク２が運転不可能なセキュリティ位置に設定され状態でのハードディスク盗難防止機構の平面図で、図１（ｄ）はそのセキュリティ位置で、図１（ｃ）のｘ−ｘ’方向から見た側断面図である。
【００２２】
また、図１（ｅ）は、ハードディスク２の着脱方向から見た側面図で、図１（ｆ）は、Ｌ形に成形されたロック金具４の外観斜視図である。
【００２３】
次に、ハードディスク２のセキュリティロックのための詳細構造について説明する。ハードディスク２は、後述するガイド機構部３のレールガイドに沿うって案内するために、当該ハードディスク２の両側面で、着脱方向に沿って設けられるユニットレール２ａ及び２ｂと、その後部に備えられた入出力コネクタ２ｃとを備える。
【００２４】
また、ハードディスク２の一方の側面には、ロック金具４を挿通する固定穴Ａ１とＡ２とが距離Ｌ１で離間して明けられている。
【００２５】
次に、ガイド機構部３は、ハードディスク２の両側面に設けられたユニットレール２ａと２ｂとを支持して、着脱方向に案内する一方の側面の一対のレールガイド３ｃ、３ｄと、他方の側面の一対のレールガイド３ｅ、３ｆと、ハードディスク２の両側面で一対のレールガイド３ｃと３ｄ、及び3eと３ｆを支持するフレーム３ａと３ｂとから成る。
【００２６】
さらに、ハードディスク２の一方の側面のレールガイド３ｅ、３ｆには、ハードディスク２の側面と対向する面に垂直な方向に明けられたガイド穴Ｂ１、Ｂ２とが、距離Ｌ２で離間して設けられる。
【００２７】
このように構成された本発明のハードディスク盗難防止機構のハードディスク２のロック金具４の設定方法について説明する。正常位置に設定する場合、ロック金具４は、図１（ｅ）及び図１（ａ）、（ｂ）に示すように、ハードディスク２の一方側面のフレーム３ｂの外側から固定穴Ａ１とガイド穴Ｂ１とに挿通してその位置を設定する。
【００２８】
また、セキュリティ位置に設定する場合、ロック金具４は、図１（ｅ）及び図１（ａ）、（ｂ）に示すように、ハードディスク２を正面パネル方向に距離ΔＬ引き出して、ハードディスク２の一方側面のフレーム３ｂの外側から固定穴Ａ２とガイド穴Ｂ２とに挿通してその位置を設定する。
【００２９】
ハードディスク２を距離ΔＬ引き出すことで、ハードディスク２の後端部に設けられる入出力コネクタ２ｃは、本体１０内部の図示しない他の制御部と切り離され、運転が不可能な状態に設定される。
【００３０】
また、ハードディスク２の着脱方向の位置が、ロック金具４で移動が困難にいずれかの位置に固定される。
【００３１】
そして、このように位置設定されたハードディスク２は、入出力コネクタ２ｃが、正常位置で運転可能に接続され、セキュリティ位置で運転不可能に切断される。
【００３２】
したがって、本発明によれば、電子装置１０を使用しない場合、ハードディス２をセキュリティ位置に固定して、ロック金具４によって物理的に着脱出来ないようにするとともに、ハードディスク２に記憶された情報が電気的にも取り出しできない状態とすることができる。
【００３３】
また、図１に示したように、側板１ａに設けられた視認窓Ｃ１、Ｃ２によって、ロック金具４の有無と設定位置を容易に確認することができる。
【００３４】
尚、本発明は上述したような実施例に何ら限定されるものでなく、ロック金具は、Ｌ形形状の金具にこだわらず、簡易に、ハードディスクの着脱方向に後部の入出力コネクタを切り離した位置で固定できる構造のものであれば良く、また、ガイド機構部は、ハードディスクの形状と本体への取り付け姿勢により適宜変えることが可能である。
【図面の簡単な説明】
【００３５】
【図１】本発明のハードディスク盗難防止の主構造を説明する図
【図２】本発明のハードディスク盗難防止機構を備えた電子装置の概観図。
【図３】従来のハードディスク盗難防止機構を備えた電子装置の概観図。
【符号の説明】
【００３６】
１  筐体
１ａ、１ｂ  側板
２  ハードディスク
２ａ、２ｂ  ユニットレール
２ｃ  入出力コネクタ
３  ガイド機構部
３ａ、３ｂ  フレーム
３ｃ、３ｄ、３ｅ、３ｆ  レールガイド
３ｇ  レールガイド固定金具
４  ロック金具
５  電源コネクタ
６  電源スイッチ
７  ＵＳＢコネクタ
８  セキュリティスロット
１０、２０  電子装置
１３  ハードディスクロックキー
２１  筐体
【図１】
2010134883.tif 000003
【図２】
2010134883.tif 000004
【図３】
2010134883.tif 000005